(57)【要約】【課題】演奏者が望む音域を補強しつつ全体として音量を低減することのできるピアノを提供する。【解決手段】ピアノは、響板と、前記響板に接続され、第１の弦の弦長を規定する第１の駒と、前記響板とは異なる部材に接続され、第２の弦の弦長を規定する第２の駒と、を備える。前記響板は、第２の駒に重ならないように設けられ、第１の弦の振動を共鳴させる役割を担うものであってもよい。また、前記第１の弦に対応する音域は、前記第２の弦に対応する音域よりも低いものであってもよい。【選択図】図１
2016206219.tif 000002
【特許請求の範囲】
【請求項１】
響板と、
響板に接続され、第１の弦の弦長を規定する第１の駒と、
前記響板とは異なる部材に接続され、第２の弦の弦長を規定する第２の駒と、
を備える、ピアノ。
【請求項２】
前記響板とは異なる部材は、筐体の背面側に設けられた支柱である、請求項１に記載のピアノ。
【請求項３】
前記響板とは異なる部材は、筐体の背面側に設けられた支柱に固定された板状部材である、請求項１に記載のピアノ。
【請求項４】
前記響板は、その外縁に沿って設けられた支持部材を介して支柱に固定される、
請求項１に記載のピアノ。
【請求項５】
前記響板の外縁の一部は、前記第１の駒と前記第２の駒との間に位置する、請求項１に記載のピアノ。
【請求項６】
前記響板は、前記第１の駒が接続される面と反対側の面に、響棒が接続されている、請求項１に記載のピアノ。
【発明の詳細な説明】
【技術分野】
【０００１】
本発明は、ピアノに関する。
【背景技術】
【０００２】
ピアノは、弦の振動を駒から響板に伝達する構造を有しており、弦の振動が響板に伝達されることで豊かな音量が得られるようになっている。しかし、例えば集合住宅や住宅が密集しているような環境では、ピアノの音量が大きすぎてしまうような場合がある。そこで、響板と駒との間の振動伝達部材の連結を解除することにより、ピアノの音量の調節を行えるようにしたピアノが知られている（例えば、特許文献１参照）。
【先行技術文献】
【特許文献】
【０００３】
【特許文献１】特許第３７４０６１２号公報
【発明の概要】
【発明が解決しようとする課題】
【０００４】
特許文献１記載のピアノでは、ピアノの音量を小さくすることができるものの、その結果として、演奏者の望む音域バランスの演奏が得られない場合もあった。このように、演奏者によっては、音量を小さくしつつ一部の音域の音量を補強したい場合もあり、特許文献１記載のピアノでは、演奏者に応じた対応が困難であるという問題があった。
【０００５】
本発明は、そのような事情に鑑みてなされたものであり、演奏者が望む音域を補強しつつ全体として音量を低減することのできるピアノを提供することを課題とする。
【課題を解決するための手段】
【０００６】
本発明の一実施形態におけるピアノは、響板と、前記響板に接続され、第１の弦の弦長を規定する第１の駒と、前記響板とは異なる部材に接続され、第２の弦の弦長を規定する第２の駒と、を備える。響板とは異なる部材は、筐体の背面側に設けられた支柱であってもよいし、筐体の背面側に設けられた支柱に固定された板状部材であってもよい。また、この板状部材は、第１の駒が接続された響板とは異なる響板であってよい。
【０００７】
前記第２の弦に対応する音域は、前記第１の弦に対応する音域よりも低いものであってもよい。典型的には、第２の弦は、中高音域に対応し、第１の弦は、低音域に対応してもよい。ただし、第１の弦に中高音域を対応させることも可能である。
【０００８】
前記響板は、当該響板の外縁に沿って設けられた支持部材を介して前記支柱に固定されたものであってもよい。支持部材は、いわゆる「打廻し」と呼ばれるものであり、響板の補強材として使用される。また、響板の外縁の一部は、前記第１の駒と前記第２の駒との間に位置する。つまり、本発明の一実施形態では、低音域に対応する第２の駒のみが響板に接続されるため、第１の駒と第２の駒との間に響板の外縁（すなわち、支持部材の外縁）が位置することとなる。
【０００９】
前記響板は、第１の駒が接続される面と反対側の面に響棒が接続されていてもよい。響棒は、単数であっても複数であってもよい。
【発明の効果】
【００１０】
以上説明したように、本発明によれば、演奏者が望む音域を補強しつつ全体として音量を低減することのできるピアノを提供することが可能になる。
【図面の簡単な説明】
【００１１】
【図１】第１実施形態におけるピアノの側断面を示す図である。
【図２】第１実施形態におけるピアノの背面を示す図である。
【図３】第２実施形態におけるピアノの背面を示す図である。
【図４】第３実施形態におけるピアノの背面を示す図である。
【図５】第４実施形態におけるピアノの側断面を示す図である。
【図６】第４実施形態におけるピアノの背面を示す図である。
【図７】第５実施形態におけるピアノの側断面を示す図である。
【図８】第５実施形態におけるピアノの背面を示す図である。
【図９】第６実施形態におけるピアノの側断面を示す図である。
【図１０】第６実施形態におけるピアノの背面を示す図である。
【発明を実施するための形態】
【００１２】
＜第１実施形態＞
図１及び図２を参照して、第１実施形態におけるピアノ１０の構成例について説明する。図１は、第１実施形態のピアノの側断面を示す図である。図２は、第１実施形態のピアノの背面を示す図である。なお、本実施形態では、アップライトピアノを例示するが、本発明は、グランドピアノにも適用可能である。
【００１３】
ピアノ１０の筐体１１は、上前板１２ａ、下前板１２ｂ、背面上桁１３、背面下桁１４、親板１５ａ、親板１５ｂ、屋根前１６、屋根後１７、底板１８及び支柱１９ａ〜１９ｇを備える。図１では、支柱１９ａから１９ｇのうちの１つの支柱が、支柱１９として図示されている。
【００１４】
上前板１２ａは、筐体１１の前面側において、屋根前１６と鍵盤蓋奥２０との間に設けられる。下前板１２ｂは、筐体１１の前面側において、棚板２１と底板１８との間に設けられる。背面上桁１３は、筐体１１の背面の上側において親板１５ａと親板１５ｂの間に水平方向に掛け渡されるように設けられる。背面下桁１４は、筐体１１の背面の下側において親板１５ａと親板１５ｂの間に掛け渡されるように設けられる。ピアノ１０の一方の側面には親板１５ａが設けられ、他方の側面には親板１５ｂが設けられる。
【００１５】
筐体１０の上端においては、前側に屋根前１６が設けられ、後ろ側に屋根後１７が設けられる。屋根前１６と屋根後１７により筐体１０の上端（上面側）が覆われる。また、図示は省略しているが、屋根前１６と屋根後１７は、ヒンジによって連結されている。これにより、ヒンジによる連結部分を中心として屋根前１６の前側を引き上げるようにして屋根前１６を開くことができる。屋根前１６を開くことにより、例えば屋根前１６を閉じた状態のときよりも豊かな音の響きが得られる。底板１８は、図示するように筐体１１の下端部（底面側）において設けられる。
【００１６】
支柱１９ａ〜１９ｇは、筐体１１の背面において、背面上桁１３と背面下桁１４との間において垂直方向に架設される。本実施形態における支柱１９ａ〜１９ｇは、弦の張力に対して筐体１１を支える機能を有する。また、本実施形態において、支柱１９ｂ〜１９ｆは、中高音域に対応する長駒２２を固定する機能を有し、支柱１９ａ〜１９ｅは、支持部材２３を介して響板２４を固定する機能を有している。本実施形態において、響板２４には、低音域に対応する短駒２５が接続されている。この点については後述する。
【００１７】
なお、以降において支柱１９ａ〜１９ｇについて特に区別しない場合には、支柱１９と記載する。また、図２においては、７本の支柱１９ａ〜１９ｇを設けた例が示されているが、支柱１９の数について特に限定はない。
【００１８】
また、筐体１１の底板１８前面側の左右両側にはそれぞれ妻土台２６が設けられる。妻土台２６と棚板２１との間には脚柱２７が架設される。棚板２１の上面側には所定数（例えば８８個）の鍵２８が水平方向に並べられて設けられる。鍵２８の各々は、棚板２１の上面部に設けられた筬中２９、筬前３０、筬後３１によって支持される。
【００１９】
鍵２８の上側には、鍵盤蓋奥２０が設けられ、鍵盤蓋奥２０の手前側に鍵盤蓋３２が設けられる。鍵盤蓋３２は、水平方向の一端が鍵盤蓋奥２０とヒンジとで連結されることで、開閉が可能なようになっている。図１では、鍵盤蓋３２が開いた状態を示している。
【００２０】
筐体１１の内部においてはフレーム３３が設けられる。フレーム３３に対しては、鍵２８ごとに対応する弦３４、３５が張設される。ここで、弦３４は、ピアノ１０の全音域のうちの低音域に対応する弦である。つまり、弦３４は、低音域の範囲に含まれる所定数の鍵２８ごとに対応して設けられる。また、弦３５は、ピアノ１０の全音域のうちの中高音域に対応する弦である。つまり、弦３５は、中高音域の範囲に含まれる所定数の鍵２８ごとに対応して設けられる。
【００２１】
本実施形態においては、前述のように、中高音域に対応する長駒２２と低音域に対応する短駒２５との２つの駒が設けられる。図１及び図２に示すように、短駒２５は、響板２４に対して接続されることにより支持される。短駒２５は、接着剤等を用いて直接響板２４に接続されてもよいし、他の介在部材を介して接続されてもよい。また、長駒２２は、背面方向からみて支柱１９ｂ〜１９ｆに対して直接固定される。長駒２２についても、接着剤等を用いて直接支柱１９に接続されてもよいし、他の介在部材を介して接続されてもよい。
【００２２】
本実施形態におけるピアノ１０は、響板２４が、背面全域のうち一部分のみに設けられる。具体的には、響板２４は、長駒２２に重ならないように設けられている。そして、低音域に対応する短駒２５のみが響板２４に接続され、中高音域に対応する長駒２２は、響板２４に接続されない。これにより、低音域の音を選択的に補強して、音量を抑えつつも、中高音域の音と低音域の音とのバランスを確保することが可能となる。
【００２３】
なお、響板２４の形状、すなわち支持部材２３の形状は、図２に示した形状に限定されない。つまり、響板２４の形状は、高い自由度で設計することができる。例えば、響板の角部を鋭角にすると、経験則上、音質に悪影響を及ぼすことが知られているため、図２に示すように、なるべく鋭角な角部を作らないように配置することが好ましい。
【００２４】
また、長駒２２を支柱１９に対して固定するための手法について特に限定はない。例えば、接着剤や釘などによって支柱１９に固定されてもよい。接着剤を用いる場合、例えば振動の伝達をできるだけ損なわないように接着剤の種類を選定することが好ましい。また、長駒２２はネジ、またはボルト及びナットなどによって支柱１９に固定されてもよい。さらに、ほぞ組みなどによる木工的な連結技術により固定されてもよい。
【００２５】
短駒２５には弦３４ごとに対応する駒釘３６が設けられている。短駒２５は、弦３４のそれぞれの有効弦長部分の一端側を駒釘３６にて支持する。長駒２２には弦３５ごとに対応する駒釘３７が設けられている。長駒２２は、上記のように支柱１９ｂ〜１９ｆに固定された状態で、弦３５のそれぞれの有効弦長部分の一端側を駒釘３７にて支持する。長駒２２は、短駒３６よりも上方の位置に設けられている。なお、図示は省略しているが、弦３４、弦３５それぞれの有効弦長部分の他端側は、例えばフレーム３３に設けられたベアリング、アグラフなどによって支持される。
【００２６】
また、鍵２８の後端部の上側には、アクション機構４０とダンパ機構４１が設けられる。アクション機構４０はハンマー４２を備え、演奏者の手指が対応の鍵２８を押した力を、ハンマー４２が対応の弦３４、３５を打撃する力に変換する機構である。ダンパ機構４１は、演奏者がペダル４３を踏み込むのに応じて、ダンパ４４を対応の弦３４に接触していた状態から離間した状態に遷移させるための機構である。
【００２７】
以上のとおり、本実施形態のピアノ１０は背面全域には響板を備えず、短駒２５に対応する位置のみに部分的に響板２４を備えている。このような構成とすることにより、高音域については、弦３５の振動が響板２４に伝わらず、弦３５の振動に応じて発生する音を十分に小さくすることができる。他方、低音域については、弦３４の振動が響板２４に伝わって共鳴するため、弦３４の振動に応じて発生する音を大きくすることができる。ただし、本実施形態におけるピアノ１０が備える響板２４の面積は、通常のピアノよりも小さいため、必要以上に音を大きくすることがない。
【００２８】
ここで、前述のように、長駒２２は、支柱１９ｂ〜１９ｆに対して直接固定される。支柱１９は、それぞれ、弦の張力に対して筐体１１を支えるために、例えば一定以上の太さを有しており、高い強度を有する。したがって、長駒２２も支柱１９に対して高い強度で固定することが可能である。これにより、長駒２２は、弦３５の振動に対しても移動するようなことがなく、安定して固定された状態が維持される。そのため、本実施形態においては、弦３５に対して十分な張力を与えることが可能となる。
【００２９】
また、短駒２５は、響板２４に接続されることにより固定される。響板２４は、支持部材２３によって支柱１９ａ〜１９ｅに対して高い強度で固定されているため、短駒２５も響板２４を介して支柱１９に固定された状態となる。そのため、本実施形態においては、弦３４に対しても十分な張力を与えることが可能となる。
【００３０】
以上のように、弦３４、３５は十分な張力を与えられた状態で維持されるため、打弦により発生した弦３４、３５の振動は長く保たれる。その結果、短駒２５に支持された弦３４の振動は、効率よく響板２４に伝わり、低音域について十分な響き、余韻のある良質な音を得ることができる。また、長駒２２に支持された弦３５の振動は、響板２４に接続されていなくとも長く保たれるため、中高音域についても十分な響き、余韻のある良質な音を得ることができる。その結果、演奏者にとって良好な音を保ちながらも有効に音量を低減することのできるピアノを提供することが可能になる。
【００３１】
＜第２実施形態＞
本発明の第２実施形態のピアノ５０は、響板の形状が第１実施形態とは異なる。具体的には、第１実施形態における響板２４は、支持部材２３が直線状の部材で構成されているのに対し、第２実施形態における響板５１は、支持部材５２が曲線状の部材を含む点で異なる。
【００３２】
図３は、第２実施形態のピアノの背面を示す図である。なお、第１実施形態と共通する部分については、同一の符号を用いて説明することとする。
【００３３】
図３に示すように、本実施形態のピアノ５０は、響板５１を支持する支持部材５２が曲線形状を有している。したがって、響板５１自体もその外縁が曲線形状を有することとなる。なお、図３では、長駒２２と短駒２５との間に位置する支持部材を曲線形状としているが、これに限らず、どの部分を曲線形状としてもよい。
【００３４】
また、図３では、支持部材５２の一部分のみを曲線形状とし、他の部分を直線形状としているが、支持部材５２の全体を曲線形状としてもよい。勿論、この場合には、響板５１もその外縁全体が曲線形状となる。
【００３５】
前述のように、響板の外縁には出来るだけ鋭角な部分を作らないことが好ましい。したがって、本実施形態のように、響板の一部または全部に曲線部分をもたせることにより、第１実施形態の効果に加えて、さらに音質を高めることができる。
【００３６】
＜第３実施形態＞
本発明の第３実施形態のピアノ６０は、響板２４に対して響棒５３が接続されている点で第１実施形態とは異なる。具体的には、第３実施形態のピアノ６０が有する響板２４は、短駒２５が接続される面と反対側の面に複数の響棒５３が接続されている。
【００３７】
図４は、第３実施形態のピアノの背面を示す図である。なお、第１実施形態と共通する部分については、同一の符号を用いて説明することとする。
【００３８】
図４に示すように、本実施形態のピアノ６０は、響板２４に対して複数の響棒５３が接続されている。図４において、響棒５３は、ピアノ６０の設置面に対して斜め方向に接続されているが、これに限定されるものではない。また、響棒５３の本数についても特に制限はなく、必要な本数を適宜決定すればよい。
【００３９】
本実施形態では、響板２４に響棒５３を接続することにより、短駒２５を介して伝達される弦３４の振動を響板２４全体に効率よく伝達することができ、所望の振動モードで響板を有効に振動させることができる。そのため、第１実施形態の効果に加えて、さらに十分な響き、余韻のある良質な音を得ることができる。
【００４０】
＜第４実施形態＞
本発明の第４実施形態のピアノ７０は、短駒２５だけでなく、長駒２２も板状部材に接続されている点で第１実施形態とは異なる。具体的には、第１実施形態のピアノ１０は、短駒２５のみに響板２４が接続されているのに対し、第４実施形態のピアノ７０は、短駒２５だけでなく長駒２２も板状部材（響板として機能してもよい）５４に接続されている点で異なる。
【００４１】
図５は、第４実施形態におけるピアノの側断面を示す図である。また、図６は、第４実施形態のピアノの背面を示す図である。なお、第１実施形態と共通する部分については、同一の符号を用いて説明することとする。
【００４２】
図５及び図６に示すように、本実施形態のピアノ７０は、支柱１９ａ〜１９ｇに対して支持部材５５が固定され、その支持部材５５を介して板状部材５４が固定されている。そして、ピアノ７０の長駒２２は、板状部材５４に接続されている。板状部材５４は、響板２４とは異なる部材、すなわち響板２４とは別に設けられた部材である。本実施形態のピアノ７０は、板状部材５４として木材を用い、響板として機能させる例を示すが、これに限らず、単に長駒２２を固定させる目的で設けられるものであってもよい。
【００４３】
本実施形態において、板状部材５４は、中高音域の音について足りない音を補強する目的で用いている。板状部材５４を響板として機能させるに当たり、板状部材５４の材質、形状、厚さなど様々なパラメータによって音質を変化させることができる。したがって、中高音域について、どのような音域の音をどのような音量・音質で補強したいのかに応じて、板状部材５４の材質、形状または厚さを適宜決定することができる。このため、板状部材５４の材質は、響板２４の材質と同じであっても異なるものであってもよい。
【００４４】
本実施形態のピアノ７０は、第１実施形態と同様に、音量を抑えることも目的のひとつとしている。つまり、板状部材５４を響板として用いる場合、板状部材５４の面積を大きくすればするほど通常のピアノの音量に近づくこととなる。しかし、音量と音質のバランスを重視する演奏者にとっては、通常のピアノより大幅に音量を抑えたものでなくとも、響きにくくなりがちな中高音域の音質を補強することが優先される場合も考えられる。本実施形態のピアノ７０は、そのような演奏者に好適な実施形態である。
【００４５】
本実施形態では、短駒２５を響板２４に接続するとともに、長駒２５をも響板として機能する板状部材５４に接続することにより、長駒２２を介して伝達される弦３５の振動を板状部材５４全体に伝えるとともに、短駒２５を介して伝達される弦３４の振動を響板２４全体に効率よく伝えることができる。そのため、第１実施形態の効果に加えて、さらに十分な響き、余韻のある良質な音を得ることができる。
【００４６】
なお、本実施形態のピアノ７０は、長駒２２と支柱１９との間に板状部材５４を設けたことにより、長駒２２に設けられた駒釘３７と短駒２５に設けられた駒釘３６との間の段差を低減できるという効果を有する。これにより、弦３４、３５をフレーム３３で支持する際に、駒釘３６と駒釘３７の段差に起因する不具合を低減することができる。
【００４７】
＜第５実施形態＞
本発明の第５実施形態のピアノ８０は、第４実施形態と同様に、短駒２５だけでなく、長駒２２も板状部材に接続されている点で第１実施形態とは異なる。具体的には、本実施形態では、板状部材５６は、長駒２２を固定させる目的で設けられ、響板として機能しない点で第１実施形態とは異なる。
【００４８】
図７は、第５実施形態におけるピアノの側断面を示す図である。また、図８は、第５実施形態のピアノの背面を示す図である。なお、第１実施形態と共通する部分については、同一の符号を用いて説明することとする。
【００４９】
図７及び図８に示すように、本実施形態のピアノ８０は、支柱１９ｂ〜１９ｆに対して板状部材５６が直接固定されている。そして、ピアノ８０の長駒２２は、板状部材５６に接続されている。本実施形態における板状部材５６は、響板としての機能をもたせたものではなく、単に長駒２２を固定させる目的で設けている。なお、本実施形態では、板状部材５６の形状を長駒２２の形状と同じ形状としているが、これは一例であり、どのような形状であってもよい。
【００５０】
本実施形態のピアノ８０は、板状部材５６の面積を極力小さくすることにより、中高音域に対応する弦３５の振動による発音を抑えることができる。さらに、板状部材５６により駒釘３６と駒釘３７との間の段差を低減することができる。そのため、第１実施形態の効果に加え、第４実施形態と同様に、弦３４、３５をフレーム３３で支持する際に、駒釘３６と駒釘３７の段差に起因する不具合を低減することができるという効果を有する。
【００５１】
＜第６実施形態＞
本発明の第６実施形態のピアノ９０は、長駒２２のみが板状部材５４に接続されている点で第１実施形態とは異なる。板状部材５４の形状や面積についても、演奏者が望む音域バランスを達成するために必要なものとすればよい。
【００５２】
図９は、第６実施形態におけるピアノの側断面を示す図である。また、図１０は、第６実施形態のピアノの背面を示す図である。なお、第１実施形態と共通する部分については、同一の符号を用いて説明することとする。
【００５３】
図９及び図１０に示すように、本実施形態のピアノ９０は、支柱１９ａ〜１９ｇに対して支持部材５５が固定され、その支持部材５５を介して板状部材５４が固定されている。そして、ピアノ９０の長駒２２は、板状部材５４に接続されている。他方、短駒５７は、支柱１９ｃ及び１９ｄに直接固定されている。勿論、短駒５７を支柱に固定するに当たり、介在部材を介してもよい。また、本実施形態のピアノ９０は、板状部材５４として木材を用い、響板として機能させる例を示すが、これに限らず、単に長駒２２を固定させる目的で設けられるものであってもよい。
【００５４】
本実施形態において、板状部材５４は、中高音域の音について音量を補強する目的で用いている。板状部材５４を響板として機能させるに当たり、板状部材５４の材質、形状、厚さなど様々なパラメータによって音質を変化させることができる。したがって、中高音域について、どのような音域の音をどのような音量・音質等で補強したいのかに応じて、板状部材５４の材質、形状または厚さを適宜決定することができる。このため、板状部材５４の材質は、実施形態１における響板２４の材質と同じであっても異なるものであってもよい。
【００５５】
本実施形態のピアノ９０は、第１実施形態と同様に、音量を抑えることも目的のひとつとしている。つまり、板状部材５４を響板として用いる場合、板状部材５４によって中高音域の音量を補強しつつ低音域の音量を相対的に低くすることによってピアノ全体の音量を低減している。このように、本実施形態のピアノ９０は、ピアノの音を小さくしつつも中高音域の音量を補強した音域バランスを求める演奏者に適する。
【符号の説明】
【００５６】
１０、５０、６０、７０、８０…ピアノ、１１…筐体、１２ａ…上前板、１２ｂ…下前板、１３…背面上桁、１４…背面下桁、１５ａ、１５ｂ…親板、１６…屋根前、１７…屋根後、１８…底板、１９…支柱、２０…鍵盤蓋奥、２１…棚板、２２…長駒、２３、５２…支持部材、２４、５１…響板、２５、５７…短駒、２６…妻土台、２７…脚柱、２８…鍵、２９…筬中、３０…筬前、３１…筬後、３２…鍵盤蓋、３３…フレーム、３４、３５…弦、３６、３７…駒釘、４０…アクション機構、４１…ダンパ機構、４２…ハンマー、４３…ペダル、４４…ダンパ、５３…響棒、５４、５６…板状部材
【図１】
2016206219.tif 000003
【図２】
2016206219.tif 000004
【図３】
2016206219.tif 000005
【図４】
2016206219.tif 000006
【図５】
2016206219.tif 000007
【図６】
2016206219.tif 000008
【図７】
2016206219.tif 000009
【図８】
2016206219.tif 000010
【図９】
2016206219.tif 000011
【図１０】
2016206219.tif 000012